Podtech/llm-jp-corpus-v4-ja_patent huggingface dataset:
【手続補正書】
【提出日】令和3年9月9日(2021.9.9)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果が特別結果であることに基づいて特典を付与しうる特典付与手段と、
受付状態を発生可能であり、遊技者による動作を有効動作とする受付有効判定が該受付状態においてなされると、該受付有効判定がなされたことに応じた受付後変化を実行可能な受付状態実行手段と、
遊技者による動作の対象を摸した摸画像表示を表示可能な摸画像表示手段と、
前記摸画像表示が非表示にされる際、該摸画像表示を視認し難くする摸画像重複表示を表示可能な摸画像重複表示手段と
を備え、
前記摸画像表示は、前記受付状態において表示される場合があり、
前記受付状態として、第１受付状態及び第２受付状態を含む複数の受付状態が用意されており、
前記第１受付状態において遊技者による動作を有効動作とする前記受付有効判定がなされた場合は、該受付有効判定に基づく前記受付後変化が実行開始される時点において、前記摸画像表示全体が視認可能とされる状態にある場合と、該状態にはない場合との両方があるようになっており、
前記第２受付状態において遊技者による動作を有効動作とする前記受付有効判定がなされた場合は、該受付有効判定に基づく前記受付後変化が実行開始される時点において前記摸画像表示全体が視認可能とされる状態にある場合がないようになっており、
前記摸画像重複表示は、前記第１受付状態において前記受付有効判定がなされたことに応じた前記受付後変化が実行開始される時点においては、前記摸画像表示全体が視認可能とされる状態にある場合と、該状態にはない場合とのいずれの場合であっても、その表示を開始しておらず、その時点よりも後のタイミングで表示を開始するようになっており、
さらに、
前記受付状態として、第３受付状態がさらに用意されており、
前記第３受付状態は、特定ＢＧＭが可聴出力されているなかで発生する場合と、特定ＢＧＭが非可聴状態にされてから発生する場合との両方があるようになっており、
さらに、
前記受付状態が発生するよりも前に特定の前演出表示が表示される場合があり、該特定の前演出表示は、当該受付状態の発生タイミングを跨るかたちで表示可能とされ、
前記受付状態において前記特定の前演出表示が表示されているなかで前記受付有効判定がなされた場合、該受付有効判定がなされたことに応じた前記受付後変化が実行開始される時点において前記特定の前演出表示は非表示の状態にされておらず表示されており、該受付後変化が実行途中の状況にあるなかで非表示にされる
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下を抑制することが求められる。
【手続補正３】
【補正対象書類名】明細書
【補正対象項目名】０００７
【補正方法】変更
【補正の内容】
【０００７】
手段１：判定を行う判定手段と、
前記判定手段の判定結果が特別結果であることに基づいて特典を付与しうる特典付与手段と、
受付状態を発生可能であり、遊技者による動作を有効動作とする受付有効判定が該受付状態においてなされると、該受付有効判定がなされたことに応じた受付後変化を実行可能な受付状態実行手段と、
遊技者による動作の対象を摸した摸画像表示を表示可能な摸画像表示手段と、
前記摸画像表示が非表示にされる際、該摸画像表示を視認し難くする摸画像重複表示を表示可能な摸画像重複表示手段と
を備え、
前記摸画像表示は、前記受付状態において表示される場合があり、
前記受付状態として、第１受付状態及び第２受付状態を含む複数の受付状態が用意されており、
前記第１受付状態において遊技者による動作を有効動作とする前記受付有効判定がなされた場合は、該受付有効判定に基づく前記受付後変化が実行開始される時点において、前記摸画像表示全体が視認可能とされる状態にある場合と、該状態にはない場合との両方があるようになっており、
前記第２受付状態において遊技者による動作を有効動作とする前記受付有効判定がなされた場合は、該受付有効判定に基づく前記受付後変化が実行開始される時点において前記摸画像表示全体が視認可能とされる状態にある場合がないようになっており、
前記摸画像重複表示は、前記第１受付状態において前記受付有効判定がなされたことに応じた前記受付後変化が実行開始される時点においては、前記摸画像表示全体が視認可能とされる状態にある場合と、該状態にはない場合とのいずれの場合であっても、その表示を開始しておらず、その時点よりも後のタイミングで表示を開始するようになっており、
さらに、
前記受付状態として、第３受付状態がさらに用意されており、
前記第３受付状態は、特定ＢＧＭが可聴出力されているなかで発生する場合と、特定ＢＧＭが非可聴状態にされてから発生する場合との両方があるようになっており、
さらに、
前記受付状態が発生するよりも前に特定の前演出表示が表示される場合があり、該特定の前演出表示は、当該受付状態の発生タイミングを跨るかたちで表示可能とされ、
前記受付状態において前記特定の前演出表示が表示されているなかで前記受付有効判定がなされた場合、該受付有効判定がなされたことに応じた前記受付後変化が実行開始される時点において前記特定の前演出表示は非表示の状態にされておらず表示されており、該受付後変化が実行途中の状況にあるなかで非表示にされる
ことを特徴とする遊技機。
【手続補正４】
【補正対象書類名】明細書
【補正対象項目名】０００８
【補正方法】削除
【補正の内容】
【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
消臭剤の濃縮液を含侵させた、消臭剤製作用のボール状繊維。
【請求項２】
前記消臭剤は、植物由来の成分を主体としている、請求項１に記載の消臭剤製作用のボール状繊維。
【請求項３】
請求項１又は請求項２に記載の消臭剤製作用のボール状繊維と、
前記ボール状繊維を開口から入れることの可能な容器を有し、該容器内の液体を噴霧可能に構成された液体噴霧器具とを備えた消臭剤作成キット。
【請求項４】
請求項１又は請求項２に記載の消臭剤製作用のボール状繊維と、
複数の前記ボール状繊維を密封収納する密封部材とを備えた消臭剤製作用品。
【手続補正２】
【補正対象書類名】明細書
【補正対象項目名】発明の名称
【補正方法】変更
【補正の内容】
【発明の名称】消臭剤作成用のボール状繊維、消臭剤作成キット、及び消臭剤作成用品
【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
通常モードまたは入眠モードのいずれかの動作モードを設定可能な制御装置であって、
第１入力を受けたとき、または、定められた時刻になったときに、前記入眠モードが開始し、
前記入眠モードの際に、
複数のエアセルの少なくとも１つの内圧を第１値にする第１動作と、
前記第１動作の後に、前記複数のエアセルの前記少なくとも１つの前記内圧を前記第１値よりも低い第２値にする第２動作と、
を実施可能な制御装置。
【請求項２】
前記制御装置は、第１条件が満たされるまで、前記第１動作及び前記第２動作を繰り返し、
前記第１条件は、経過時間が定められた時間以上になること、繰り返しの回数が定められた回数以上になること、及び、得られた信号の変動が定められたしきい値以上になること、の少なくともいずれかを含む、請求項１に記載の制御装置。
【請求項３】
前記第１動作において、前記複数のエアセルを含む複数のエアセルブロックの内圧を順番に制御し、
前記第２動作において、前記複数のエアセルブロックの前記内圧を順番に制御する、請求項１または請求項２に記載の制御装置。
【請求項４】
背ボトムを含むベッド部の上に置かれたエアマットレスのエアセル部の内圧を低下させる第１制御動作を実施し、
前記第１制御動作の少なくとも一部を実施した後に、前記背ボトムの角度を変更する第２制御動作を実施する制御装置。
【請求項５】
得られた信号の変動が定められたしきい値以下になると前記第１制御動作を開始する、
請求項４に記載の制御装置。
【請求項６】
前記第１制御動作の開始前における前記背ボトムの初期角度が第１角度よりも大きい場合、前記第１制御動作において、前記エアセル部の前記内圧を第１圧力以下にし、
前記背ボトムの前記初期角度が第１角度以下である場合、前記第１制御動作において、前記エアセル部の前記内圧を前記第１圧力よりも低い第２圧力にする、請求項４または請求項５に記載の制御装置。
【手続補正書】
【提出日】令和2年11月28日(2020.11.28)
【手続補正１】
【補正対象書類名】特許請求の範囲
【補正対象項目名】全文
【補正方法】変更
【補正の内容】
【特許請求の範囲】
【請求項１】
一端が挟着部であり、他端が軸着により互いに回動可能に連結する連結部を備えた一対の挟着部材を備えた装身具の挟着構造であって、
いずれかの前記挟着部材の前記連結部を形成する取付け脚部の両側端から所定の間隙で突出し、中心に軸穴を有する円形の突出部又は端部が円弧形状の突出部に設けられた周回係合部Ａを含む第一接触板と、
他の前記挟着部材の前記連結部を形成する取付け基部から突出し、前記第一接触板間の間隙に回動可能に嵌合する中心に軸穴を有する円形又は端部が円弧形状の第二接触板とを備え、
前記一対の挟着部材の回動により生じる前記第一接触板の外側方向への変形による挟着力の低下が、前記周回係合部Ａと前記取付け基部の両側端部に形成された周回係合部Ｂとの係合により抑制されることを特徴とする装身具の挟着構造。
【請求項２】
前記第一接触板間の内側に、少なくとも一つ以上、前記取付け脚部から突出する中心に軸穴を有する円形又は端部が円弧形状の第一接触板ａと、
前記取付け基部から突出し、前記第一接触板ａと前記第一接触板との間隙、及び／又は前記接触板ａの間隙に嵌合する円形又は端部が円弧形状の第二接触板ｂとを備えたことを特徴とする請求項１に記載の装身具の挟着構造。
【請求項３】
前記第一接触板間に介装され、当接する接触板を押圧することで前記挟着部材が回動する際に所望の摩擦抵抗を生じさせるスプリングワッシャーが介装されていることを特徴とする請求項１又は２に記載の装身具の挟着構造。
【請求項４】
前記挟着部材が樹脂であり、前記弾性体が高分子弾性体であることを特徴とする請求項３に記載の装身具の挟着構造。
【手続補正２】
【補正対象書類名】明細書
【補正対象項目名】００２４
【補正方法】変更
【補正の内容】
【００２４】
かかる課題決するため本発明は、一端が挟着部であり、他端が軸着により互いに回動可能に連結する連結部を備えた一対の挟着部材を備えた装身具の挟着構造であって、いずれかの前記挟着部材の前記連結部を形成する取付け脚部の両側端から所定の間隙で突出し、中心に軸穴を有する円形の突出部又は端部が円弧形状の突出部に設けられた周回係合部Ａを含む第一接触板と、他の挟着部材の前記連結部を形成する取付け基部から突出し、前記第一接触板間の間隙に回動可能に嵌合する中心に軸穴を有する円形又は端部が円弧形状の第二接触板とを備え、前記一対の挟着部材の回動により生じる前記第一接触板の外側方向への変形による挟着力の低下が、前記周回係合部Ａと前記取付け基部の両側端部に形成された周回係合部Ｂとの係合により抑制されることを特徴とする装身具の挟着構造、である。
【手続補正３】
【補正対象書類名】明細書
【補正対象項目名】００２５
【補正方法】変更
【補正の内容】
【００２５】
上記の装身具の挟着構造において、前記第一接触板間の内側に、少なくとも一つ以上、前記取付け脚部から突出する中心に軸穴を有する円形又は端部が円弧形状の第一接触板ａと、前記取付け基部から突出し、前記第一接触板ａ前記第一接触板との間隙、及び／又は前記接触板ａの間隙に嵌合する円形または端部が円弧形状の第二接触板ｂとを備えたことを特徴とする。
【手続補正書】
【提出日】令和3年9月28日(2021.9.28)
【手続補正１】
【補正対象書類名】特許請求の範囲
【補正対象項目名】全文
【補正方法】変更
【補正の内容】
【特許請求の範囲】
【請求項１】
赤外線を透過する窓部材と、
前記窓部材が埋め込まれた研磨パッドと、
基板を回転可能に保持し、前記基板を前記研磨パッドに押し付ける研磨ヘッドと、
前記窓部材の下方に配置され、前記研磨ヘッドに保持された前記基板の表面温度を測定する赤外放射温度計と、を備えている、研磨装置。
【請求項２】
前記窓部材が透過する波長帯域は、前記赤外放射温度計が温度測定可能な波長帯域を含む、請求項１に記載の研磨装置。
【請求項３】
前記窓部材が透過する波長帯域は、１．５マイクロメートル以下、あるいは、６．０マイクロメートル以上である、請求項１または２に記載の研磨装置。
【請求項４】
前記赤外放射温度計は、インジウム化合物から構成された赤外線吸収膜を有している、請求項１乃至３のいずれか一項に記載の研磨装置。
【請求項５】
前記窓部材の材質は、赤外線透過樹脂、フッ化カルシウム、合成石英、ゲルマニウム、フッ化マグネシウム、臭化カリウム、サファイア、シリコン、塩化ナトリウム、ジンクセレン、硫化亜鉛、から選択される、請求項１乃至４のいずれか一項に記載の研磨装置。
【請求項６】
前記研磨装置は、前記赤外放射温度計によって測定された前記基板の直径方向の温度分布を、記録または表示する機能を有している、請求項１乃至５のいずれか一項に記載の研磨装置。
【請求項７】
前記赤外放射温度計によって測定される前記基板の温度測定周波数は、１０Ｈｚ以上である、請求項１乃至６のいずれか一項に記載の研磨装置。
【請求項８】
前記窓部材の裏面と前記赤外放射温度計の受光部との間には、障害物が存在しない空間が形成されている、請求項１乃至７のいずれか一項に記載の研磨装置。
【請求項９】
前記研磨装置は、前記研磨パッドの減耗に応じて、前記窓部材を下降させるように構成されたアクチュエータを備えており、
前記アクチュエータは、前記窓部材に接続されている、請求項１乃至８のいずれか一項に記載の研磨装置。
【手続補正書】
【提出日】令和3年3月10日(2021.3.10)
【手続補正１】
【補正対象書類名】特許請求の範囲
【補正対象項目名】全文
【補正方法】変更
【補正の内容】
【特許請求の範囲】
【請求項１】
流体中の異物を除去するフィルタエレメントであって、
第一金属線材を螺旋状、且つ多層状に巻付けることにより形成された円筒状の第一層と、
前記第一層の外径側に固定されて、前記第一金属線材よりも断面積が小さい第二金属線材を織るか又は編むことにより形成された金網から構成され、前記第一層よりも濾過粒度が細かい第二層と、
前記第二層の外径側に固定されて、前記第二金属線材よりも断面積が大きい第三金属線材を螺旋状、且つ多層状に巻付けることにより形成された、前記第二層よりも濾過粒度が粗い第三層と、を備え、
前記第一金属線材と前記第三金属線材とが連続していることを特徴とするフィルタエレメント。
【請求項２】
流体中の異物を除去するフィルタエレメントの製造方法であって、
第一金属線材を螺旋状、且つ多層状に巻付けて円筒状の第一層を形成する工程と、
前記第一金属線材よりも断面積が小さい第二金属線材を編むことにより形成された金網を前記第一層の外径側に巻き付けることにより、前記第一層よりも濾過粒度が細かく、且つ少なくとも軸方向一端部が前記第一層の軸方向端面よりも軸方向の外側に突出した突出部を有する第二層を形成する工程と、
前記第二金属線材よりも断面積が大きい第三金属線材を、前記第二層の外径側に螺旋状、且つ多層状に巻付けて第三層を形成する工程と、を含み、
前記第三層を形成する工程では、前記第一金属線材を前記第二層の外径側に引き出すと共に、該第一金属線材を前記第三金属線材とすることを特徴とするフィルタエレメントの製造方法。
【手続補正２】
【補正対象書類名】明細書
【補正対象項目名】発明の名称
【補正方法】変更
【補正の内容】
【発明の名称】フィルタエレメント、及びフィルタエレメントの製造方法
【手続補正３】
【補正対象書類名】明細書
【補正対象項目名】０００１
【補正方法】変更
【補正の内容】
【０００１】
本発明は、流体中の異物を除去するフィルタエレメント、及びその製造方法に関する。
【手続補正４】
【補正対象書類名】明細書
【補正対象項目名】０００２
【補正方法】変更
【補正の内容】
【０００２】
流体中に含まれる異物の通過を阻止するフィルタエレメント（フィルタ）として、筒状のフィルタが知られている。特許文献１には、エアバッグシステム用のガス発生器に組み込まれる筒状のフィルタが記載されている。このフィルタは、エアバッグを膨張させるために発生させた燃焼ガスから、燃焼ガスの副生成物である燃焼残渣（固形物）を除去すると共に、燃焼ガスを冷却する役割を果たす。
特許文献１に記載されたフィルタは、最も内径側に位置する第一層と、第一層の外径側に固定された第二層と、第二層の外径側に固定された第三層とから構成されている。特許文献１において、第一層は、金属線材を螺旋状に巻き付けることにより形成されている。第二層は、金網、又はパンチングメタル等の金属製板材等から構成されている。第三層は、金属線材を螺旋状に巻き付けることにより形成されている。
【手続補正５】
【補正対象書類名】明細書
【補正対象項目名】０００３
【補正方法】変更
【補正の内容】
【０００３】
【特許文献１】特開２００５−１９３７６２公報
【手続補正６】
【補正対象書類名】明細書
【補正対象項目名】０００４
【補正方法】変更
【補正の内容】
【０００４】
本発明は、フィルタエレメントが、第二層の内径側と外径側に、夫々金属線材を螺旋状に巻き付けることにより形成された第一層と第三層とを有する場合に、異物の発生を防止できるフィルタエレメントを提供することを目的とする。
【手続補正７】
【補正対象書類名】明細書
【補正対象項目名】０００５
【補正方法】変更
【補正の内容】
【０００５】
上記の課題を解決するために、本発明は、流体中の異物を除去するフィルタエレメントであって、第一金属線材を螺旋状、且つ多層状に巻付けることにより形成された円筒状の第一層と、前記第一層の外径側に固定されて、前記第一金属線材よりも断面積が小さい第二金属線材を織るか又は編むことにより形成された金網から構成され、前記第一層よりも濾過粒度が細かい第二層と、前記第二層の外径側に固定されて、前記第二金属線材よりも断面積が大きい第三金属線材を螺旋状、且つ多層状に巻付けることにより形成された、前記第二層よりも濾過粒度が粗い第三層と、を備え、前記第一金属線材と前記第三金属線材とが連続していることを特徴とする。
【手続補正８】
【補正対象書類名】明細書
【補正対象項目名】０００６
【補正方法】変更
【補正の内容】
【０００６】
本発明によれば、第一層と第三層を構成する金属線材が連続しているので、金属線材の切断による異物の発生を防止できる。
【手続補正書】
【提出日】令和3年11月12日(2021.11.12)
【手続補正１】
【補正対象書類名】特許請求の範囲
【補正対象項目名】全文
【補正方法】変更
【補正の内容】
【特許請求の範囲】
【請求項１】
直立姿勢において上下に隣り合う位置関係にある上パーツ及び下パーツと、
前記下パーツに対して前記上パーツを前屈および後屈可能な前後揺動を可能に、前記上パーツと前記下パーツとを連結する関節構造と、
を備え、
前記関節構造は、
前記下パーツに対する前記上パーツの前記前後揺動が可能な上方ジョイントと、
前記直立姿勢において前記人型玩具からみて前記上方ジョイントよりも前方に設けられ、前記下パーツに対する前記上パーツの前記前後揺動が可能な下方ジョイントと、
前記上方ジョイントと前記下方ジョイントとの間に設けられ、前記下パーツに対する前記上パーツの前記前後揺動が可能な中間ジョイントと、
を有する、
人型玩具。
【請求項２】
前記下方ジョイントと前記中間ジョイントとを連結する連結部材を有し、
前記連結部材は、前記直立姿勢において前記下パーツの上面と接する
請求項１に記載の人型玩具。
【請求項３】
前記上パーツは、前記連結部材が前記下パーツの上面と接した状態で前記中間ジョイントを介して前後揺動可能である
請求項２に記載の人型玩具。
【請求項４】
前記上方ジョイントと前記中間ジョイントとの間の距離は、前記中間ジョイントと前記
下方ジョイントとの間の距離よりも短い、
請求項１又は２に記載の人型玩具。
【請求項５】
前記下方ジョイントを基準とした前記中間ジョイントの後屈方向への揺動移動時に前記連結部材が接触することで、前記中間ジョイントの後屈方向への揺動移動を制限させる制限部、
を備えた請求項１〜４の何れか一項に記載の人型玩具。
【請求項６】
前記関節構造は、前記下方ジョイントに対して前記中間ジョイントを前屈方向へ揺動させ、且つ、前記中間ジョイントに対して前記上方ジョイントを後屈方向へ揺動させることが可能な構造を有する、
請求項１〜５の何れか一項に記載の人型玩具。
【請求項７】
前記上パーツは、頭部のパーツであり、
前記下パーツは、体幹部の上方のパーツである、
請求項１〜６の何れか一項に記載の人型玩具。
【手続補正２】
【補正対象書類名】明細書
【補正対象項目名】０００７
【補正方法】変更
【補正の内容】
【０００７】
本発明の態様は、直立姿勢において上下に隣り合う位置関係にある上パーツ及び下パーツと、前記下パーツに対して前記上パーツを前屈又は後屈させる前後揺動を可能に、前記上パーツと前記下パーツとを連結する関節構造と、を備え、前記関節構造は、前記上パーツ側に設けられた上方ジョイントであって、当該上方ジョイントでの揺動運動によって前記下パーツに対する前記上パーツの前記前後揺動が可能な上方ジョイントと、前記直立姿勢において前記人型玩具からみて前記上方ジョイントよりも前方で、且つ、前記下パーツ側に設けられた下方ジョイントであって、当該下方ジョイントでの揺動運動によって前記下パーツに対する前記上パーツの前記前後揺動が可能な下方ジョイントと、を有する、人型玩具である。また本発明の態様は、直立姿勢において上下に隣り合う位置関係にある上パーツ及び下パーツと、前記下パーツに対して前記上パーツを前屈および後屈可能な前後揺動を可能に、前記上パーツと前記下パーツとを連結する関節構造と、を備え、前記関節構造は、前記下パーツに対する前記上パーツの前記前後揺動が可能な上方ジョイントと、  前記直立姿勢において前記人型玩具からみて前記上方ジョイントよりも前方に設けられ、前記下パーツに対する前記上パーツの前記前後揺動が可能な下方ジョイントと、前記上方ジョイントと前記下方ジョイントとの間に設けられ、前記下パーツに対する前記上パーツの前記前後揺動が可能な中間ジョイントと、を有する、人型玩具。
【手続補正書】
【提出日】令和3年5月13日(2021.5.13)
【手続補正１】
【補正対象書類名】特許請求の範囲
【補正対象項目名】全文
【補正方法】変更
【補正の内容】
【特許請求の範囲】
【請求項１】
遊技中に実行される所定の抽選の当選確率についての設定に関する内容を示唆する第１設定示唆演出を実行可能な第１設定示唆演出実行手段と、
前記設定に関して前記第１設定示唆演出とは異なる内容を示唆する第２設定示唆演出を実行可能な第２設定示唆演出実行手段と、
前記第１設定示唆演出及び前記第２設定示唆演出の実行を制御し、遊技に関する所定の状態である第１状態と前記第１状態とは異なる第２状態とで前記第１設定示唆演出及び前記第２設定示唆演出の実行頻度を異ならせる設定示唆演出実行制御手段と
を備えたことを特徴とする遊技機。
【請求項２】
請求項１に記載の遊技機において、
所定の履歴を記憶する履歴記憶手段
をさらに備え、
前記設定示唆演出実行制御手段は、
少なくとも前記第１設定示唆演出の実行を制御する上で前記履歴を用いることを特徴とする遊技機。
【請求項３】
請求項２に記載の遊技機において、
前記第１設定示唆演出実行手段は、
前記設定が変更されたことを示唆する演出を実行可能であり、
前記第２設定示唆演出実行手段は、
前記設定を示唆する演出を実行可能であることを特徴とする遊技機。
【手続補正２】
【補正対象書類名】明細書
【補正対象項目名】００９２
【補正方法】変更
【補正の内容】
【００９２】
さらに、主制御装置７０には、設定変更装置３００、設定キースイッチ３０２、ＲＡＭクリアスイッチ３０４が設けられている。主制御装置７０（主制御ＣＰＵ７２）は、設定変更装置３００を動作させることにより設定を変更する。設定変更装置３００は、設定（少なくとも特別図柄抽選の当選確率に関する複数段階の設定値）を切り替える装置であり（設定手段）、ＲＡＭクリアスイッチ３０４等の操作により作動する。また、設定とは、作動確率の組み合わせをいう。さらに、作動確率とは、条件装置が作動することとなる（大当り遊技が実行されることとなる）特別図柄の組み合わせが表示される確率をいう。設定キースイッチ３０２は、設定を切り替える上で必須となる設定キーの回転に伴い、その回転状態を示す信号（ＯＮ／ＯＦＦ）を入力する入力装置である。設定の変更の手順は、様々な手法を採用することができるが、例えば、以下の手順で行うことができる。
【手続補正３】
【補正対象書類名】明細書
【補正対象項目名】０６４８
【補正方法】変更
【補正の内容】
【０６４８】
また、「当日における設定変更の有無」及び「直近１０日以内に使用されたことのある設定値」は、具体的には、設定履歴データとしてＳＲＡＭ１８２（履歴記憶手段）に記憶されている前回更新日情報や直近１０回分の設定値等に基づいて判定される。
【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
アルミニウムまたはアルミニウム合金より構成された第１基材（１１１）と、
上記第１基材の表面に形成された第１薄膜層（１１２）と、
上記第１薄膜層の表面に結合した樹脂接着層（１０）と、を有しており、
上記第１薄膜層は、Ｓｉとは異なる価数を有する金属元素が固溶したケイ酸塩ガラスより構成されており、
上記樹脂接着層は、イオン重合に由来する構造部位を含む樹脂、または、脱水縮合可能な樹脂を含んでおり、
上記第１薄膜層と上記樹脂接着層とが、イオン結合または共有結合により結合している、接合構造体（１）。
【請求項２】
上記金属元素は、Ａｌを含む、請求項１に記載の接合構造体。
【請求項３】
上記第１薄膜層におけるＣａ含有量が、２０質量％以下である、請求項１または２に記載の接合構造体。
【請求項４】
上記第１薄膜層の膜厚が２ｎｍ以上２５ｎｍ以下である、請求項１〜３のいずれか１項に記載の接合構造体。
【請求項５】
さらに、アルミニウムまたはアルミニウム合金より構成された第２基材（１２１）と、
上記第２基材の表面に形成された第２薄膜層（１２２）と、を有しており、
上記第２薄膜層は、上記ケイ酸塩ガラスより構成されており、
上記樹脂接着層は、上記第２薄膜層の表面にも結合しており、
上記第２薄膜層と上記樹脂接着層とが、イオン結合または共有結合により結合している、請求項１〜４のいずれか１項に記載の接合構造体。
【請求項６】
上記第２薄膜層が形成される上記第２基材の表面部分は、酸化皮膜層にて覆われていない、請求項５に記載の接合構造体。
【請求項７】
上記第１薄膜層が形成される上記第１基材の表面部分は、酸化皮膜層にて覆われていない、請求項１〜６のいずれか１項に記載の接合構造体。
【請求項８】
上記樹脂接着層の厚みは、１０ｍｍ以下である、請求項１〜７のいずれか１項に記載の接合構造体。
【請求項９】
上記樹脂接着層の厚みは、２ｍｍ以下である、請求項１〜７のいずれか１項に記載の接合構造体。
【請求項１０】
表面にＡｌ２Ｏ３からなる自然の酸化皮膜層が形成されたアルミニウムまたはアルミニウム合金よりなる第１基材（１１１）をアルカリ性のケイ酸塩溶液に接触させ、上記酸化皮膜層を、Ｓｉとは異なる価数を有する金属元素が固溶したケイ酸塩ガラスよりなる第１薄膜層（１１２）に変換することにより、表面に上記第１薄膜層が形成された上記アルミニウムまたは上記アルミニウム合金よりなる上記第１基材を準備する準備工程と、
上記第１基材における上記第１薄膜層、硬化によってイオン重合に由来する構造部位を含む樹脂または脱水縮合可能な樹脂となる樹脂接着材料より形成された樹脂接着材料層が順に積層された積層体を得る積層工程と、
上記積層体を加熱し、上記第１薄膜層と上記樹脂接着材料層との界面にイオン結合または共有結合を生じさせた後、さらに加熱温度を上げて上記樹脂接着材料層を硬化させ、上記第１薄膜層の表面に結合した樹脂接着層（１０）を形成する接着工程と、
を有しており、
上記ケイ酸塩溶液のケイ酸塩濃度が、０．１ｍｏｌ／Ｌ以上１．５ｍｏｌ／Ｌ以下である、接合構造体の製造方法。
【請求項１１】
上記ケイ酸塩溶液のｐＨは、１０以上１４以下である、請求項１０に記載の接合構造体の製造方法。
【請求項１２】
上記ケイ酸塩溶液の温度は、３５℃以上である、請求項１０または１１に記載の接合構造体の製造方法。
【請求項１３】
上記ケイ酸塩溶液との接触時間が、１５秒以上である、請求項１０〜１２のいずれか１項に記載の接合構造体の製造方法。
【手続補正２】
【補正対象書類名】明細書
【補正対象項目名】０００７
【補正方法】変更
【補正の内容】
【０００７】
本発明の一態様は、アルミニウムまたはアルミニウム合金より構成された第１基材（１１１）と、
上記第１基材の表面に形成された第１薄膜層（１１２）と、
上記第１薄膜層の表面に結合した樹脂接着層（１０）と、を有しており、
上記第１薄膜層は、Ｓｉとは異なる価数を有する金属元素が固溶したケイ酸塩ガラスより構成されており、
上記樹脂接着層は、イオン重合に由来する構造部位を含む樹脂、または、脱水縮合可能な樹脂を含んでおり、
上記第１薄膜層と上記樹脂接着層とが、イオン結合または共有結合により結合している、接合構造体（１）にある。
【手続補正３】
【補正対象書類名】明細書
【補正対象項目名】０００８
【補正方法】変更
【補正の内容】
【０００８】
本発明の他の態様は、表面にＡｌ２Ｏ３からなる自然の酸化皮膜層が形成されたアルミニウムまたはアルミニウム合金よりなる第１基材（１１１）をアルカリ性のケイ酸塩溶液に接触させ、上記酸化皮膜層を、Ｓｉとは異なる価数を有する金属元素が固溶したケイ酸塩ガラスよりなる第１薄膜層（１１２）に変換することにより、表面に上記第１薄膜層が形成された上記アルミニウムまたは上記アルミニウム合金よりなる上記第１基材を準備する準備工程と、
上記第１基材における上記第１薄膜層、硬化によってイオン重合に由来する構造部位を含む樹脂または脱水縮合可能な樹脂となる樹脂接着材料より形成された樹脂接着材料層が順に積層された積層体を得る積層工程と、
上記積層体を加熱し、上記第１薄膜層と上記樹脂接着材料層との界面にイオン結合または共有結合を生じさせた後、さらに加熱温度を上げて上記樹脂接着材料層を硬化させ、上記第１薄膜層の表面に結合した樹脂接着層（１０）を形成する接着工程と、
を有しており、
上記ケイ酸塩溶液のケイ酸塩濃度が、０．１ｍｏｌ／Ｌ以上１．５ｍｏｌ／Ｌ以下である、接合構造体の製造方法にある。
【手続補正４】
【補正対象書類名】明細書
【補正対象項目名】００４４
【補正方法】変更
【補正の内容】
【００４４】
ケイ酸塩溶液のケイ酸塩濃度は、アルミニウム合金等の表面に形成される第１薄膜層の膜厚確保、Ａｌ２Ｏ３からなる酸化皮膜層の除去などの観点から、０．１ｍｏｌ／Ｌ以上とされ、好ましくは、０．２ｍｏｌ／Ｌ以上、より好ましくは、０．３ｍｏｌ／Ｌ以上とすることができる。また、ケイ酸塩溶液のケイ酸塩濃度は、濃度が過度に高くなるとＡｌ表面をエッチングし粗化してしまうおそれがあるなどの観点から、１．５ｍｏｌ／Ｌ以下とされ、好ましくは、１ｍｏｌ／Ｌ以下、より好ましくは、０．５ｍｏｌ／Ｌ以下とすることができる。
【手続補正書】
【提出日】令和3年1月5日(2021.1.5)
【手続補正１】
【補正対象書類名】特許請求の範囲
【補正対象項目名】全文
【補正方法】変更
【補正の内容】
【特許請求の範囲】
【請求項１】
マットレスであって、
患者が前記マットレス上に横たわっているとき、前記患者の身体と適合する、マットレス構成要素と、
前記マットレス構成要素の少なくとも下側表面を囲繞し、それと一体型である、シェルと、
オペレータを撮像デバイスから分離するように設置される複数の放射線遮蔽体であって、前記複数の放射線遮蔽体のうちの少なくとも１つは、可撓性であり、接続縁で前記マットレスに接続されており、かつ、前記接続縁の反対側に遊離縁を伴って構成され、前記撮像デバイスによって押動されたときに前記可撓性である放射線遮蔽体が撓曲するようになっており、前記遮蔽体のうちの１つは、摺動表面を有するトレイであり、前記摺動表面は、異なる患者のサイズに適合するように前記トレイの寸法が調節可能であることを可能にする、複数の放射線遮蔽体と、
前記シェルに取り付けられるガイドレールシステムであって、前記ガイドレールシステムは、ガイドレールを含み、前記ガイドレールは、付属品を前記ガイドレールに取り付けるために使用可能な取付表面を提供する、ガイドレールシステムと、
を備える、マットレス。
【請求項２】
前記マットレスは、患者の胸部を支持するための剛性部分を含む、請求項１に記載のマットレス。
【請求項３】
前記ガイドレールシステムはさらに、前記ガイドレールの中に統合されたデータラインを含む、請求項１に記載のマットレス。
【請求項４】
前記ガイドレールシステムはさらに、前記ガイドレールの中に統合されたガスラインを含む、請求項１に記載のマットレス。
【請求項５】
病院において使用するためのマットレスシステムであって、
マットレスであって、
患者が前記マットレス上に横たわっているとき、前記患者の身体と適合する、マットレス構成要素と、
前記マットレス構成要素の少なくとも下側表面を囲繞し、それと一体型である、シェルと、
オペレータを撮像デバイスから分離するように設置される複数の放射線遮蔽体であって、前記複数の放射線遮蔽体のうちの少なくとも１つは、可撓性であり、接続縁で前記マットレスに接続されており、かつ、前記接続縁の反対側に遊離縁を伴って構成され、前記撮像デバイスによって押動されたときに前記可撓性である放射線遮蔽体が撓曲するようになっている、複数の放射線遮蔽体と、
前記シェルに取り付けられるガイドレールシステムであって、前記ガイドレールシステムは、ガイドレールを含み、前記ガイドレールは、付属品を前記ガイドレールに取り付けるために使用可能な取付表面を提供する、ガイドレールシステムと、
を備える、マットレスと、
摺動表面を有する放射線遮蔽トレイを含む少なくとも１つの構成要素と、
を備え、
前記摺動表面は、異なる患者のサイズに適合するように前記トレイの寸法が調節可能であることを可能にし、
前記少なくとも１つの構成要素は、いったん前記ガイドレールに取り付けられると、前記構成要素が、前記取付表面に沿って所望の場所に摺動され得るように、前記ガイドレールに摺動可能に取付可能な掛止および解除機構を含む、マットレスシステム。
【請求項６】
前記マットレスは、患者の胸部を支持するための剛性部分を含む、請求項５に記載のマットレスシステム。
【請求項７】
前記ガイドレールシステムはさらに、前記ガイドレールの中に統合されたデータラインを含む、請求項５に記載のマットレスシステム。
【請求項８】
前記ガイドレールシステムはさらに、前記ガイドレールの中に統合されたガスラインを含む、請求項５に記載のマットレスシステム。
【請求項９】
前記複数の放射線遮蔽体のうちの少なくとも１つは、前記掛止および解除機構が前記ガイドレールに取り付けられたときに前記掛止および解除機構から垂直に延在する側方ユニットを含む、請求項５に記載のマットレスシステム。
【請求項１０】
前記放射線遮蔽体はさらに、上側ユニットと、前記上側ユニットに取り付けられる下側ユニットとを含み、前記上側および下側ユニットのうちの少なくとも１つは、前記側方ユニットに取り付けられる、請求項９に記載のマットレスシステム。
【請求項１１】
前記上側ユニットは、前記下側ユニットを中心として垂直に枢動する、請求項１０に記載のマットレスシステム。
【請求項１２】
ベッドのガイドレールに調節可能に取付可能であるトレイを備える放射線吸収遮蔽体であって、前記トレイは、患者の上方かつ前記患者を横断して位置付けることが可能であり、かつ、異なる患者のサイズに適合するように前記トレイの寸法が調節可能であることを可能にする摺動表面を含む、放射線吸収遮蔽体。
【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
ベースレンズアセンブリであって、
光学素子と、
光学素子の周囲に配置された周方向の触覚システムと
を含み、前記触覚システムは、ベースレンズアセンブリが患者の眼の中に配置されているときに調節性眼内レンズを受け入れるように構成された内部空間を取り囲む内側表面と、外側表面と、前記内側表面から半径方向内向きに延びる複数のフランジとを有し、前記複数のフランジは、調節性眼内レンズを前記内部空間に維持するように構成されており、
前記外側表面は、患者の眼の水晶体嚢に接触するように構成されており、
前記内側表面は、調節性眼内レンズの周縁部に接触するように構成されている、ベースレンズアセンブリ。
【請求項２】
調節性眼内レンズを受け入れるように構成された前記内部空間へのアクセスを提供する開放端部をさらに含み、前記複数のフランジの位置は前記開放端部からずらされている、請求項１に記載のベースレンズアセンブリ。
【請求項３】
調節性眼内レンズの表面に係合するように構成された複数のレッジをさらに含む、請求項１に記載のベースレンズアセンブリ。
【請求項４】
前記複数のレッジ及び前記複数のフランジは、それぞれ調節性眼内レンズの対向する表面に係合して、調節性眼内レンズを前記内部空間に維持するように構成されている、請求項３に記載のベースレンズアセンブリ。
【請求項５】
前記複数のレッジのうちの少なくとも一部が、前記複数のフランジに対し前方かつ反対側に配置されている、請求項４に記載のベースレンズアセンブリ。
【請求項６】
前記複数のレッジのうちの少なくとも一部、前記複数のフランジ、及び前記内側表面が、調節性眼内レンズの周縁部を受け入れるＣ字形の空間を形成している、請求項５に記載のベースレンズアセンブリ。
【請求項７】
前記複数のレッジのうちの少なくとも一部のそれぞれが、調節性眼内レンズに係合するように構成された表面を含み、前記複数のフランジのそれぞれが、調節性眼内レンズに係合するように構成された表面を含み、前記複数のレッジのうちの少なくとも一部のそれぞれの前記表面の位置と、前記複数のフランジのそれぞれの前記表面の位置とは互いにずらされている、請求項５に記載のベースレンズアセンブリ。
【請求項８】
前記複数のレッジのうちの少なくとも一部のそれぞれの前記表面と、前記複数のフランジのそれぞれの前記表面とは互いにほぼ平行である、請求項７に記載のベースレンズアセンブリ。
【請求項９】
前記複数のレッジのうちの少なくとも一部は前方に露出している、請求項４に記載のベースレンズアセンブリ。
【請求項１０】
前記光学素子の周縁部から前記触覚システムまで延在する複数のアームをさらに含み、前記複数のレッジのうちの少なくとも一部は前記複数のアームの端部に配置されており、前記端部は前記光学素子の周縁部とは反対側である、請求項５に記載のベースレンズアセンブリ。
【請求項１１】
前記内側表面は軸方向において実質的に平坦である、請求項１に記載のベースレンズアセンブリ。
【請求項１２】
前記外側表面上に配置され、互いに離間した複数のノッチをさらに含み、前記複数のノッチは、前記触覚システムの半径方向の圧縮を促進するように構成されている、請求項１に記載のベースレンズアセンブリ。
【請求項１３】
前記内側表面は、周方向において断続しており、調節性眼内レンズの周縁部に係合するように構成された離間した接触面を画定している、請求項１に記載のベースレンズアセンブリ。
【請求項１４】
前記触覚システムの内側部分かつ前記離間した接触面の間に配置された複数のスロットをさらに含む、請求項１３に記載のベースレンズアセンブリ。
【請求項１５】
前記触覚システムの前記外側表面に配置され、前記離間した接触面と共に周方向に整列した複数のノッチをさらに含み、前記複数のノッチは、前記触覚システムの半径方向の圧縮を促進するように構成されている、請求項１３に記載のベースレンズアセンブリ。
【請求項１６】
前記触覚システムの内側部分かつ前記離間した接触面の間に配置された複数のスロットをさらに含み、前記複数のノッチの位置と前記複数のスロットの位置とは互いに周方向にずらされている、請求項１５に記載のベースレンズアセンブリ。
【請求項１７】
前記光学素子の周縁部から前記触覚システムまで延在する複数のアームをさらに含み、前記離間した接触面のうちの少なくとも一部は、前記複数のアームのうちの隣り合うアームの間に配置されている、請求項１３に記載のベースレンズアセンブリ。
【請求項１８】
ベースレンズアセンブリであって、
患者の眼の水晶体嚢に接触するように構成された外側表面と、調節性眼内レンズを受け入れるように構成された内部空間を画定する内側表面とを含む触覚システムと、
前記内側表面から半径方向内向きに延びる複数のフランジと、
レッジを有する複数のアームと
を含み、前記内側表面は調節性眼内レンズの周縁部に接触するように構成されており、
前記複数のフランジ及びレッジは調節性眼内レンズを前記内部空間に維持するように構成されており、
ベースレンズアセンブリは、患者の眼の中に配置されているときに調節性眼内レンズを受け入れるように構成されている、ベースレンズアセンブリ。
【請求項１９】
光学素子を含み、前記触覚システムは前記光学素子の周囲に配置されている、請求項１８に記載のベースレンズアセンブリ。
【請求項２０】
調節性眼内レンズを受け入れるように構成された前記内部空間へのアクセスを提供する開放端部をさらに含み、前記複数のフランジは前記開放端部から離れて配置されている、請求項１８に記載のベースレンズアセンブリ。
【請求項２１】
前記複数のフランジに対し前方かつ反対側に配置された複数のレッジをさらに含み、前記複数のレッジ及び前記複数のフランジは、それぞれ調節性眼内レンズの対向する表面に係合するように構成されている、請求項１８に記載のベースレンズアセンブリ。
【請求項２２】
前記内側表面は、周方向において断続しており、調節性眼内レンズの周縁部に係合するように構成された離間した接触面を画定している、請求項１８に記載のベースレンズアセンブリ。
【請求項２３】
前記触覚システムの前記外側表面に配置され、前記離間した接触面と共に周方向に整列した複数のノッチを含み、前記複数のノッチは、前記触覚システムの半径方向の圧縮を促進するように構成されている、請求項１８に記載のベースレンズアセンブリ。
【手続補正書】
【提出日】令和3年1月21日(2021.1.21)
【手続補正１】
【補正対象書類名】特許請求の範囲
【補正対象項目名】全文
【補正方法】変更
【補正の内容】
【特許請求の範囲】
【請求項１】
錠剤を搬送する搬送部と、
前記搬送部により搬送される前記錠剤に向けてそれぞれ液滴を吐出する複数のノズルを有するインクジェットヘッドと、
前記錠剤の搬送方向において前記インクジェットヘッドよりも下流側に配置され、前記インクジェットヘッドの直下を通過した前記錠剤を検査する検査部と、
前記錠剤の搬送方向において前記検査部よりも下流側に配置された回収部と、
を有し、
前記回収部は、
前記検査部による検査の結果、合格の錠剤を回収する第１回収部と、
前記検査部による検査の結果、不合格の錠剤を回収する第２回収部と、
前記錠剤における前記インクジェットヘッドに対向した面が印刷される面でないことで未印刷の前記錠剤を回収する第３回収部と、
を分けて設けたことを特徴とする錠剤印刷装置。
【請求項２】
前記錠剤の搬送方向において前記インクジェットヘッドより上流側に、前記搬送部で搬送される前記錠剤の上面を含む画像を取得する撮像部と、
前記撮像部が取得した前記画像に基づき、予め定めた印刷許可条件を満たしていない場合は、前記インクジェットヘッドによる前記錠剤への印刷を禁止して、前記未印刷の前記錠剤とする制御部と、
を有することを特徴とする請求項１に記載の錠剤印刷装置。
【請求項３】
前記制御部は、前記画像に基づき前記錠剤の表裏情報を取得し、前記表裏情報に基づき、前記インクジェットヘッドによる前記錠剤への印刷を禁止して、前記未印刷の前記錠剤とすることを特徴とする請求項２に記載の錠剤印刷装置。
【請求項４】
前記制御部は、前記検査部に対し、印刷が禁止された前記錠剤に対する検査は省略するように制御することを特徴とする請求項２または３に記載の錠剤印刷装置。
【手続補正２】
【補正対象書類名】明細書
【補正対象項目名】発明の名称
【補正方法】変更
【補正の内容】
【発明の名称】錠剤印刷装置
【手続補正３】
【補正対象書類名】明細書
【補正対象項目名】０００１
【補正方法】変更
【補正の内容】
【０００１】
本発明の実施形態は、錠剤印刷装置に関する。
【手続補正４】
【補正対象書類名】明細書
【補正対象項目名】０００４
【補正方法】削除
【補正の内容】
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】変更
【補正の内容】
【０００７】
本発明が解決しようとする課題は、錠剤の状態に応じて回収できる錠剤印刷装置を提供することである。
【手続補正７】
【補正対象書類名】明細書
【補正対象項目名】０００８
【補正方法】変更
【補正の内容】
【０００８】
実施形態に係る錠剤印刷装置は、
錠剤を搬送する搬送部と、
前記搬送部により搬送される前記錠剤に向けてそれぞれ液滴を吐出する複数のノズルを有するインクジェットヘッドと、
前記錠剤の搬送方向において前記インクジェットヘッドよりも下流側に配置され、前記インクジェットヘッドの直下を通過した前記錠剤を検査する検査部と、
前記錠剤の搬送方向において前記検査部よりも下流側に配置された回収部と、
を有し、
前記回収部は、
前記検査部による検査の結果、合格の錠剤を回収する第１回収部と、
前記検査部による検査の結果、不合格の錠剤を回収する第２回収部と、
前記錠剤における前記インクジェットヘッドに対向した面が印刷される面でないことで未印刷の前記錠剤を回収する第３回収部と、
を分けて設けたことを特徴とする。
【手続補正８】
【補正対象書類名】明細書
【補正対象項目名】００１０
【補正方法】変更
【補正の内容】
【００１０】
本発の実施形態によれば、錠剤の状態に応じて回収することができる。
【手続補正書】
【提出日】令和3年9月28日(2021.9.28)
【手続補正１】
【補正対象書類名】特許請求の範囲
【補正対象項目名】全文
【補正方法】変更
【補正の内容】
【特許請求の範囲】
【請求項１】
プロセッサを備えるコンピュータにより実行されるゲームプログラムであって、
ゲームプログラムは、プロセッサに、
ユーザが操作可能なオブジェクトを表示部に表示させるステップと、
ユーザのタッチ操作を検出するステップと、
前記オブジェクトが第１の動作を開始した後でありかつ当該第１の動作を行っている間に新たに開始されたタッチ操作であって、当該タッチ操作を第１の時間にわたって継続させている長押し操作を受け付けることにより、当該タッチ操作の受け付けが解除されたか否かにかかわらず、前記第１の動作に続いて第２の動作を前記オブジェクトに行わせるステップとを実行させ、
前記第１の動作は、複数回連続して行われる動作の全体、または、複数回連続して行われる動作のうちの一部の動作である、ゲームプログラム。
【請求項２】
前記オブジェクトが前記第１の動作を行っている間に開始されたタッチ操作が第２の時間にわたって継続されたことを受け付けることにより、前記オブジェクトの第３の動作のためのユーザインターフェースを前記表示部に表示させるステップと、
前記第２の時間まで継続したタッチ操作が、前記表示部における前記第３の動作のためのユーザインターフェースに対応する位置で離れた場合に、前記オブジェクトに第３の動作を行わせるステップと、
を前記プロセッサにさらに実行させる、請求項１に記載のゲームプログラム。
【請求項３】
前記オブジェクトが前記第１の動作を行っている間に開始されたタッチ操作が第２の時間にわたって継続されたことを受け付けることにより、前記オブジェクトの第３の動作のためのユーザインターフェースを前記表示部に表示させるステップと、
前記第２の時間まで継続したタッチ操作が、前記表示部における前記第３の動作のためのユーザインターフェース以外の領域に対応する位置で離れた場合に、前記オブジェクトに前記第２の動作を行わせるステップと、
を前記プロセッサにさらに実行させる、請求項１に記載のゲームプログラム。
【請求項４】
前記オブジェクトが前記第１の動作を行っていない間に、前記ユーザのタッチ操作の位置の移動の距離が所定の値未満であり、前記タッチ操作が第３の時間以上継続し、かつ離れる操作を受け付けた場合に、前記オブジェクトに前記第２の動作以外の動作を行わせるステップを前記プロセッサにさらに実行させる、請求項１〜３のいずれか一項に記載のゲームプログラム。
【請求項５】
前記オブジェクトが前記第１の動作を行っていない間に、前記ユーザのタッチ操作の位置の移動の距離が所定の値未満であり、前記タッチ操作が第３の時間以上継続し、かつ離れる操作を受け付けた場合に、前記オブジェクトに前記第２の動作を行わせるステップ、を前記プロセッサにさらに実行させる、請求項１〜３のいずれか一項に記載のゲームプログラム。
【請求項６】
前記ユーザの操作に応じてパラメータを更新するステップを前記プロセッサにさらに実行させ、
前記パラメータが所定値に達している場合に、前記第１の動作に続いて前記第２の動作をオブジェクトに行わせるステップを実行させる、請求項１に記載のゲームプログラム。
【請求項７】
前記パラメータが所定値未満である場合に、前記オブジェクトが前記第１の動作を行っている間に開始されたタッチ操作が第２の時間にわたって継続されたことを受け付けることにより、前記オブジェクトの第３の動作のためのユーザインターフェースを前記表示部に表示させるステップを前記プロセッサにさらに実行させる、請求項６に記載のゲームプログラム。
【請求項８】
前記第１の動作は、複数回連続して行われる動作のうちの一部の動作であり、
前記オブジェクトが前記第１の動作を行っている間に、前記第１の時間より短い時間にわたって継続させるタッチ操作を受け付けることにより、前記第１の動作に続いて前記第１の動作を前記オブジェクトに行わせるステップを前記プロセッサにさらに実行させる、請求項１〜７のいずれか一項に記載のゲームプログラム。
【請求項９】
前記第１の動作に続いて第２の動作を行わせるステップにおいて、前記第１の動作に続いて前記第１の動作を行わせるステップにおいて連続する前記第１の動作のうち後段の前記第１の動作を前記オブジェクトが行っている間に、前記タッチ操作を前記第１の時間にわたって継続させている操作を受け付けることにより、後段の前記第１の動作に続いて前記第２の動作を前記オブジェクトに行わせる、請求項８に記載のゲームプログラム。
【請求項１０】
前記オブジェクトを表示させるステップにおいて、敵キャラクタと戦闘する前記オブジェクトを表示させ、
前記第１の動作に続いて前記第１の動作を行わせるステップにおいて、連続する前記第１の動作のうち前段の前記第１の動作は、前記敵キャラクタの攻撃を回避する回避動作であり、後段の前記第１の動作は、前記敵キャラクタに対する攻撃動作である、請求項９に記載のゲームプログラム。
【請求項１１】
第１の動作に続いて第２の動作を行わせるステップにおいて、第１の動作を、タップおよびフリックのいずれかを含むタッチ操作の受付によって実行する、請求項１〜１０のいずれか一項に記載のゲームプログラム。
【請求項１２】
第１の動作に続いて第２の動作を行わせるステップにおいて、第２の動作を行わせるための第１の時間にわたって継続する操作の受付期間を第１の動作の種類に応じて異ならせる、請求項１〜１１のいずれか一項に記載のゲームプログラム。
【請求項１３】
前記ゲームプログラムは、前記プロセッサに、
前記オブジェクトが前記第２の動作を行っている間に新たに開始されたタッチ操作を受け付けることにより、前記第２の動作に続いて前記第１の動作を前記オブジェクトに行わせるステップと、
前記第２の動作に続く前記第１の動作を行っている間に新たに開始されたタッチ操作であって、当該タッチ操作を前記第１の時間にわたって継続させている長押し操作を受け付けることにより、前記第１の動作に続いて前記第２の動作を前記オブジェクトに行わせるステップとを実行させる、請求項１〜１２のいずれか一項に記載のゲームプログラム。
【請求項１４】
コンピュータがゲームプログラムを実行する方法であって、
コンピュータは、プロセッサおよびメモリを備え、
プロセッサが請求項１に記載の各ステップを実行する方法。
【請求項１５】
情報処理装置であって、
情報処理装置は、
請求項１に記載のゲームプログラムを記憶する記憶部と、
該ゲームプログラムを実行することにより、情報処理装置の動作を制御する制御部とを備えている、情報処理装置。